(57)【特許請求の範囲】
【請求項１】
機器間（Ｍ２Ｍ）通信システムにおける遊休モード端末の動作方法において、
ページング聴取区間でページングメッセージを基地局から受信する過程と、
前記ページングメッセージにネットワークリエントリー（ｎｅｔｗｏｒｋ  ｒｅｅｎｔｒｙ）を指示する指示子又は前記ネットワークリエントリーなく一つ以上のＭ２Ｍ端末が属するＭ２Ｍグループに対するマルチキャストデータを受信することを指示する指示子が含まれているのかを決定する過程と、
前記マルチキャストデータを受信することを指示する指示子が含まれている場合、前記遊休モードの終了もなく前記マルチキャストデータを前記基地局から受信する過程と、
を含むことを特徴とする方法。
【請求項２】
前記マルチキャストデータを前記基地局から受信する過程は、
前記Ｍ２Ｍグループの識別子情報に対応する割り当てたダウンリンク資源を介して前記マルチキャストデータを前記基地局から受信する過程を含むことを特徴とする請求項１に記載の方法。
【請求項３】
前記ページングメッセージにマルチキャストデータを受信し、アップリンクデータを伝送することを指示する前記ネットワークリエントリー指示子が含まれている場合、前記マルチキャストデータを受信する過程と、
アップリンクデータを前記基地局に伝送する過程と、
を更に含むことを特徴とする請求項１に記載の方法。
【請求項４】
前記ページングメッセージに前記マルチキャストデータを受信し、アップリンクデータを伝送することを指示する前記ネットワークリエントリー指示子が含まれている場合、前記マルチキャストデータを受信する過程は、
前記Ｍ２Ｍグループの識別子情報に対応する割り当てたダウンリンク資源を介して前記マルチキャストデータを前記基地局から受信する過程を含み、
前記アップリンクデータを前記基地局に伝送する過程は、
前記基地局から割り当てられたアップリンク資源を介して前記アップリンクデータを前記基地局に伝送する過程を含むことを特徴とする請求項３に記載の方法。
【請求項５】
前記ページングメッセージは、
一つ以上のＭ２Ｍグループの識別子情報、マルチキャストデータを受信することを指示する指示子と、マルチキャストデータを受信し、アップリンクデータを伝送することを指示する指示子と、マルチキャストデータを受信すべきＭ２Ｍグループの識別子、マルチキャストデータを受信し、アップリンクデータを伝送する端末の識別子と、を含むことを特徴とする請求項３に記載の方法。
【請求項６】
前記Ｍ２Ｍグループの識別子情報は、
前記Ｍ２Ｍグループデータの資源に対するマスクプレフィックス、前記マルチキャストデータの資源であることを知らせる指示子、前記マルチキャストデータの資源に対するＭ２Ｍマルチキャストグループ識別子及び前記マルチキャストデータであることを示す識別子を含むことを特徴とする請求項２に記載の方法。
【請求項７】
機器間（Ｍ２Ｍ）通信システムにおける基地局の動作方法において、
ページング要請メッセージを受信する過程と、
ネットワークリエントリー（ｎｅｔｗｏｒｋ  ｒｅｅｎｔｒｙ）を指示する指示子又は前記ネットワークリエントリーなく一つ以上のＭ２Ｍ端末が属するＭ２Ｍグループに対するマルチキャストデータを受信することを指示する指示子を含むページングメッセージをページング聴取区間で前記Ｍ２Ｍ端末に伝送する過程と、
前記Ｍ２Ｍ端末が前記遊休モードの終了もなく前記マルチキャストデータを受信できるように前記マルチキャストデータを前記Ｍ２Ｍ端末に伝送する過程と、を含むことを特徴とする方法。
【請求項８】
前記マルチキャストデータを前記Ｍ２Ｍ端末に伝送する過程は、
前記Ｍ２Ｍグループの識別子情報に対応する割り当てたダウンリンク資源を介して前記マルチキャストデータを前記Ｍ２Ｍ端末に伝送する過程を含むことを特徴とする請求項７に記載の方法。
【請求項９】
ページング要請メッセージを受信する過程と、
前記ページング要請メッセージにマルチキャストデータを端末が受信することを指示する指示子が含まれている場合、前記Ｍ２Ｍ端末が前記マルチキャストデータを受信することを指示する指示子を含む前記ページングメッセージを構成する過程と、
を更に含むことを特徴とする請求項８に記載の方法。
【請求項１０】
マルチキャストデータを端末が受信し、アップリンクデータを伝送することを指示する指示子を含むページングメッセージを前記ページング聴取区間で前記Ｍ２Ｍ端末に伝送する過程と、
前記マルチキャストデータを前記Ｍ２Ｍグループの識別子情報に対応する割り当てたダウンリンク資源を介して前記Ｍ２Ｍ端末にデータを伝送する過程と、
前記端末に割り当てたアップリンク資源を介して前記端末からデータを受信する過程と、を更に含むことを特徴とする請求項７に記載の方法。
【請求項１１】
前記ページング要請メッセージにマルチキャストデータを受信し、アップリンクデータを伝送することを指示する指示子が含まれている場合、マルチキャストデータを端末が受信し、アップリンクデータを伝送することを指示する指示子を含む前記ページングメッセージを構成する過程と、
を更に含むことを特徴とする請求項１０に記載の方法。
【請求項１２】
前記ページング要請メッセージは、
データを受信するＭ２Ｍグループ及び端末識別子と、端末がマルチキャストデータのみを受信することを指示する指示子と、端末がマルチキャストデータを受信し、アップリンクデータを伝送することを支持する指示子と、を含むことを特徴とする請求項１０に記載の方法。
【請求項１３】
前記ページングメッセージは、
一つ以上のＭ２Ｍグループの識別子情報、マルチキャストデータを受信することを指示する指示子と、マルチキャストデータを受信し、アップリンクデータを伝送することを指示する指示子と、マルチキャストデータを受信すべきＭ２Ｍグループの識別子、マルチキャストデータを受信し、アップリンクデータを伝送する端末の識別子と、を含むことを特徴とする請求項１０に記載の方法。
【請求項１４】
前記Ｍ２Ｍグループの識別子情報は、
前記Ｍ２Ｍグループデータの資源に対するマスクプレフィックス、前記マルチキャストグループデータの資源であることを知らせる指示子、前記マルチキャストデータの資源に対するＭ２Ｍグループ識別子及び前記マルチキャストデータであることを示す識別子を含むことを特徴とする請求項８に記載の方法。
【請求項１５】
機器間（Ｍ２Ｍ）通信システムにおける遊休モード端末の装置において、
送受信部と、
遊休モード管理部と、を含み、
前記遊休モード管理部は、
ページング聴取区間でページングメッセージを基地局から前記送受信部を介して受信し、
前記ページングメッセージにネットワークリエントリー（ｎｅｔｗｏｒｋ  ｒｅｅｎｔｒｙ）を指示する指示子又は前記ネットワークリエントリーなく一つ以上のＭ２Ｍ端末が属するＭ２Ｍグループに対するマルチキャストデータを受信することを指示する指示子が含まれているのかを決定し、
前記マルチキャストデータを受信することを指示する指示子が含まれている場合、前記遊休モードの終了もなく前記マルチキャストデータを前記基地局から前記送受信部を介して受信する、
ことを特徴とする装置。
【請求項１６】
前記遊休モード管理部は、
前記Ｍ２Ｍグループの識別子情報に対応する割り当てたダウンリンク資源を介して前記マルチキャストデータを前記基地局から前記送受信部を介して受信することを特徴とする請求項１５に記載の装置。
【請求項１７】
前記遊休モード管理部は、
前記ページングメッセージにマルチキャストデータを受信し、アップリンクデータを伝送することを指示する前記ネットワークリエントリー指示子が含まれている場合、前記マルチキャストデータを前記送受信部を介して受信し、
アップリンクデータを前記送受信部を介して前記基地局に伝送する、
ことを特徴とする請求項１５に記載の装置。
【請求項１８】
前記遊休モード管理部は、
前記Ｍ２Ｍグループの識別子情報に対応する割り当てたダウンリンク資源を介して前記マルチキャストデータを前記基地局から前記送受信部を介して受信し、
前記基地局から割り当てられたアップリンク資源を介して前記アップリンクデータを前記基地局に前記送受信部を介して伝送することを特徴とする請求項１７に記載の装置。
【請求項１９】
前記ページングメッセージは、
一つ以上のＭ２Ｍグループの識別子情報、マルチキャストデータを受信することを指示する指示子と、マルチキャストデータを受信し、アップリンクデータを伝送することを指示する指示子と、マルチキャストデータを受信すべきＭ２Ｍグループの識別子、マルチキャストデータを受信し、アップリンクデータを伝送する端末の識別子と、を含むことを特徴とする請求項１７に記載の装置。
【請求項２０】
前記Ｍ２Ｍグループの識別子情報は、
前記Ｍ２Ｍグループデータの資源に対するマスクプレフィックス、前記マルチキャストプデータの資源であることを知らせる指示子、前記マルチキャストデータの資源に対するＭ２Ｍグループ識別子及び前記マルチキャストデータであることを示す識別子を含むことを特徴とする請求項１６に記載の装置。
【請求項２１】
機器間（Ｍ２Ｍ）通信システムにおける基地局の装置において、
送受信部と、
管理部と、を含み、
前記管理部は、
ネットワークリエントリー（ｎｅｔｗｏｒｋ  ｒｅｅｎｔｒｙ）を指示する指示子又は前記ネットワークリエントリーなく一つ以上の遊休モードのＭ２Ｍ端末が属するＭ２Ｍグループに対するマルチキャストデータを受信することを指示する指示子を含むページングメッセージをページング聴取区間に前記Ｍ２Ｍ端末に前記送受信部を介して伝送し、
前記Ｍ２Ｍ端末が前記遊休モードの終了もなく前記マルチキャストデータを受信できるように前記マルチキャストデータを前記Ｍ２Ｍ端末に前記送受信部を介して伝送する、
ことを特徴とする装置。
【請求項２２】
前記管理部は、
前記Ｍ２Ｍグループの識別子情報に対応する割り当てたダウンリンク資源を介して前記マルチキャストデータを前記Ｍ２Ｍ端末に伝送することを特徴とする請求項２１に記載の装置。
【請求項２３】
前記管理部は、
ページング要請メッセージを受信し、
前記ページング要請メッセージにマルチキャストデータを端末が受信することを指示する指示子が含まれている場合、前記Ｍ２Ｍ端末が前記マルチキャストデータを受信することを指示する指示子を含む前記ページングメッセージを構成する、
ことを特徴とする請求項２２に記載の装置。
【請求項２４】
前記管理部は、
マルチキャストデータを端末が受信し、アップリンクデータを伝送することを指示する指示子を含むページングメッセージを前記ページング聴取区間で前記Ｍ２Ｍ端末に伝送し、
前記マルチキャストデータを前記Ｍ２Ｍグループの識別子情報に対応する割り当てたダウンリンク資源を介して前記Ｍ２Ｍ端末にデータを伝送し、
前記端末に割り当てたアップリンク資源を介して前記端末からデータを受信することを特徴とする請求項２１に記載の装置。
【請求項２５】
前記管理部は、
前記ページング要請メッセージにマルチキャストデータを受信し、アップリンクデータを伝送することを指示する指示子が含まれている場合、マルチキャストデータを端末が受信し、アップリンクデータを伝送することを指示する指示子を含む前記ページングメッセージを構成することを特徴とする請求項２４に記載の装置。
【請求項２６】
前記ページング要請メッセージは、
データを受信するＭ２Ｍグループ及び端末識別子と、端末がマルチキャストデータのみを受信することを指示する指示子と、端末がマルチキャストデータを受信し、アップリンクデータを伝送することを支持する指示子と、を含むことを特徴とする請求項２４に記載の装置。
【請求項２７】
前記ページングメッセージは、
一つ以上のＭ２Ｍグループの識別子情報、マルチキャストデータを受信することを指示する指示子と、マルチキャストデータを受信し、アップリンクデータを伝送することを指示する指示子と、マルチキャストデータを受信すべきＭ２Ｍグループの識別子、マルチキャストデータを受信し、アップリンクデータを伝送する端末の識別子と、を含むことを特徴とする請求項２４に記載の装置。
【請求項２８】
前記Ｍ２Ｍグループの識別子情報は、
前記Ｍ２Ｍグループデータの資源に対するマスクプレフィックス、前記マルチキャストデータの資源であることを知らせる指示子、前記マルチキャストデータの資源に対するＭ２Ｍグループ識別子及び前記マルチキャストデータであることを示す識別子を含むことを特徴とする請求項２２に記載の装置。
【発明の詳細な説明】
【背景技術】
【０００１】
本発明は、機器間通信を支援するシステムに関するものであり、特に機器間通信システムにおける遊休モード（ｉｄｌｅ  ｍｏｄｅ）機器のアクセスオーバーヘッドと遅延を減らすための装置及びその方法に関するものである。
【０００２】
人の直接制御（Ｈｕｍａｎ  Ｉｎｔｅｒａｃｔｉｏｎ）がないか非常に制限されている場合、機器（Ｄｅｖｉｃｅ）間データ通信を支援する機器間通信（Ｍ２Ｍ  Ｃｏｍｍｕｎｉｃａｔｉｏｎ：Ｍａｃｈｉｎｅ  ｔｏ  Ｍａｃｈｉｎｅ  Ｃｏｍｍｕｎｉｃａｔｉｏｎ）サービスに対する研究が進められている。 
【０００３】
機器間通信サービスは、自動制御及び通信を介して機器を管理する費用を削減する側面で脚光を浴びており、車両及び車両に搭載された物品の自動化管理（Ｆｌｅｅｔ  Ｍａｎａｇｅｍｅｎｔ）、自動計量（Ｓｍａｒｔ  Ｍｅｔｅｒｉｎｇ）、ホームオートメーション（Ｈｏｍｅ  Ａｕｔｏｍａｔｉｏｎ）、ヘルスケア（Ｈｅａｌｔｈ  Ｃａｒｅ）などに適用することができる技術として認識されている。 
【０００４】
機器間通信を支援する機器間通信システムでは、一般的な通信システムの端末とは異なって限定的なデータを制限された時間にのみ送受信する機器を支援する場合を考慮しなければならない。 
【０００５】
例えば、自動計量を行う機器は一ヶ月に一回のみ計量した数値を自動計量サーバーに伝送すればよく、ヘルスケア（Ｈｅａｌｔｈ  Ｃａｒｅ）を行う機器は一日に一回のみヘルスケアサーバーからヘルスケア情報をアップデータすればよい。
【０００６】
機器間通信システムのサーバーは同じサービスに加入した多数の機器に同じデータを伝送することができ、同じ通信サービスに加入した多数の機器からデータを受信する事ができ、データの送受信が発生しない時間には前記機器が遊休モードになるように指示することができる。
【０００７】
よって、遊休モードになる機器は前記サーバーとのデータの送受信が必要な時点で遊休モードから連結モード（ｃｏｎｎｅｃｔｅｄ  ｓｔａｔｅ）に遷移するためにシステムアクセス手順を行う。 
【０００８】
特定グループに属した多数の機器がサーバーからのデータを受信するために又は前記サーバーにデータを伝送するためにシステムアクセス手順を行う場合、多数の機器が一度にシステムアクセスに成功することが難しくなる可能性がある。
【０００９】
システムアクセスに失敗した機器は一定時間の間アクセスバックオフを行い、システムアクセスを再び試みなければならない。 
【００１０】
よって、前記アクセスをバックオフした時間だけ前記グループに属した機器とのデータの送受信の遅延が発生する問題点がある。
【発明の概要】
【００１１】
本発明の目的は、機器間通信システムにおけるページングされた機器でのアクセスオーバーヘッドを減少するための方法及びその装置を提供することにある。
【００１２】
本発明の他の目的は、機器間通信サービスに加入した多数の機器に対して遊休モードを支援し、遊休モードにある多数の機器に同じデータを伝送し、前記多数の機器がデータを送受信するためにシステムにアクセスする過程で発生するアクセス衝突を防止する方法及びその装置を提供することにある。
【００１３】
本発明のまた他の目的は、機器間通信サービスに加入した多数の機器に対して遊休モードを支援し、遊休モードにある多数の機器に同じデータを伝送し、前記多数の機器がデータを送受信するためにシステムにアクセスする過程で前記多数の機器のアクセス遅延を減らす方法及びその装置を提供することにある。
【００１４】
本発明の目的を達成するための第１態様によると、機器間通信システムにおける遊休モード端末の動作方法においてページング聴取区間でページングメッセージを基地局から受信する過程と、前記ページングメッセージにマルチキャストグループデータを受信することを指示する指示子が含まれているのかを検査する過程と、前記マルチキャストグループデータを受信することを指示する指示子が含まれている場合、端末が属したマルチキャストグループの識別子マスクを利用したダウンリンク資源を介して伝送されるデータを受信する過程と、ページング非聴取区間に進入する過程と、を含むことを特徴とする。
【００１５】
本発明の目的を達成するための第２態様によると、機器間通信システムにおける遊休モード端末に対する基地局の動作方法において、ページング要請メッセージを受信する過程と、前記ページング要請メッセージにマルチキャストグループデータを端末が受信することを指示する指示子が含まれている場合、前記マルチキャストグループデータを端末が受信することを指示する指示子を含むページングメッセージを構成する過程と、構成したページングメッセージをページング聴取区間に伝送する過程と、前記ページングメッセージにマルチキャストグループデータを端末が受信することを指示する指示子が含まれている場合、該当マルチキャストグループの識別子マスクを利用したダウンリンク資源を介して該当マルチキャストグループに属した端末にデータを伝送する過程と、を含むことを特徴とする。
【００１６】
本発明の目的を達成するための第３態様によると、機器間通信システムにおける遊休モード端末の装置にいて、基地局とデータを送受信するモデムとページング聴取区間でページングメッセージを基地局から受信し、前記ページングメッセージにマルチキャストグループデータを受信することを指示する指示子が含まれているのかを検査し、前記マルチキャストグループデータを受信することを指示する指示子が含まれている場合、端末が属したマルチキャストグループの識別子マスクを利用したダウンリンク資源を介して伝送されるデータを受信し、ページング非聴取区間に進入する制御部を含むことを特徴とする。
【００１７】
本発明の目的を達成するための第４態様によると、機器間通信システムにおける遊休モード端末のための基地局の装置において、端末とデータを送受信する無線モデムと、上位ノードとデータを送受信する有線モデムと、ページング要請メッセージを受信し、前記ページング要請メッセージにマルチキャストグループデータを端末が受信することを指示する指示子が含まれている場合、前記マルチキャストグループデータを端末が受信することを指示する指示子を含むページングメッセージを構成し、構成したページングメッセージをページング聴取区間に伝送し、前記ページングメッセージにマルチキャストグループデータを端末が受信することを指示する指示子が含まれている場合、該当マルチキャストグループの識別子マスクを利用したダウンリンク資源を介して該当マルチキャストグループに属した端末にデータを伝送する制御部と、を含むことを特徴とする。
【図面の簡単な説明】
【００１８】
【図１】本発明の実施例による機器間通信を支援する通信システムの構成を示す図である。
【図２】本発明の実施例による機器間通信システムの機器間通信サーバーとページング制御器及び基地局で遊休モード端末のページングを処理する動作を示す信号フローチャートである。
【図３】本発明の実施例による機器間通信システムにおける遊休モード端末と基地局がページングメッセージ及びダウンリンクデータを処理する動作を示す信号フローチャートである。
【図４】本発明の実施例による機器間通信システムにおける遊休モード端末と基地局がページングメッセージ及びダウンリンク／アップリンクデータを処理する動作を示す信号フローチャートである。
【図５】本発明の実施例による機器間通信システムにおける遊休モード端末の動作を示すフローチャートである。
【図６】本発明の実施例による機器間通信システムにおける遊休モード端末のデータを処理する基地局の動作を示すフローチャートである。
【図７】本発明の実施例による機器間通信システムにおける機器間通信サーバーの動作過程を示すフローチャートである。
【図８】本発明の実施例による機器間通信システムにおける機器間通信ページング制御器の動作過程を示すフローチャートである。
【図９】本発明の実施例による機器間通信システムにおける端末のブロック構成を示す図である。
【図１０】本発明の実施例による機器間通信システムにおける機器間通信サーバー、ページング制御器及び基地局のブロック構成を示す図である。
【発明を実施するための形態】
【００１９】
以下、添付の図面を参照して、本発明の動作原理を詳しく説明する。下記で本発明を説明するに当たって、関連する公知機能又は構成に対する具体的な説明が本発明の要旨を不明確にする恐れがあると判断される場合、その詳しい説明を省略する。そして、後述する用語は本発明における機能を考慮して定義されたものであり、これは使用者、運用者の意図又は慣例などによって異なり得る。従って、その定義は本明細書全般にかかる内容に基づいて定められるべきである。 
【００２０】
以下、本発明は機器間通信システムにおけるページングされた機器でのアクセスオーバーヘッドを減少するための方法及びその装置について説明する。
【００２１】
特に、本発明は機器間通信システムにおける機器の遊休モード（ｉｄｌｅ  ｍｏｄｅ）を支援する方案のうち、遊休モードにある多数の機器にデータを伝送し、前記多数の機器がデータを送信する場合、発生するアクセスオーバーヘッドを減少する方案について説明する。 
【００２２】
本発明は機器間通信システムにおける遊休モードからのシステムアクセス手順なく同じグループに属した機器がデータを受信するための過程を含み、前記遊休モードに存在する機器がシステムアクセス手順なくデータを送信するための過程を含むことを特徴とする。
【００２３】
図１は、本発明の実施例による機器間通信を支援する通信システムの構成を示す図である。
【００２４】
前記図１を参照すると、機器間通信システムは機器間通信を支援する機器（Ｍ２Ｍ  ｄｅｖｉｃｅ）１０１−１，１０１−２，１０１−３、機器間通信を支援するアクセスサービスネットワーク（Ｍ２Ｍ  ＡＳＮ：Ｍ２Ｍ  Ａｃｃｅｓｓ  Ｓｅｒｖｉｃｅ  Ｎｅｔｗｏｒｋ）１０２、前記機器間通信を支援するアクセスサービネットワークに含まれたアクセスポイント（Ａｃｃｅｓｓ  Ｐｏｉｎｔ）１０３、機器間通信を支援する連結サービスネットワーク（Ｍ２Ｍ  ＣＳＮ：Ｍ２Ｍ  Ｃｏｎｎｅｃｔｉｏｎ  Ｓｅｒｖｉｃｅ  Ｎｅｔｗｏｒｋ）１０４と機器間通信を支援するサーバー（Ｍ２Ｍ  Ｓｅｒｖｅｒ）１０５で構成される。 
【００２５】
前記機器１０１−１，１０１−２，１０１−３は、機器間通信に必要なアプリケーションプログラムが搭載された端末に相当する。 
【００２６】
前記アクセスサービスネットワーク１０２は、前記機器１０１−１，１０１−２，１０１−３と前記サーバー１０５との通信に必要な無線アクセスポイントを提供し、前記アクセスポイント１０３は前記機器１０１−１，１０１−２，１０１−３と前記サーバー１０５間通信に必要な無線資源を制御する基地局に相当する。 
【００２７】
前記連結サービスネットワーク１０４は、前記機器１０１−１，１０１−２，１０１−３にユーザ側の連結サービスを提供する。 
【００２８】
前記サーバー１０５は一つ又は多数の機器１０１−１，１０１−２，１０１−３と通信を行う装置であり、機器間通信に必要なアプリケーションプログラムが搭載され、ユーザが接続し得るインターフェースを備えている。前記サーバー１０５は、システム運用によって前記連結サービスネットワーク１０４に含まれてもよい。 
【００２９】
前記機器間通信システムにおいて、前記機器１０１−１，１０１−２，１０１−３とアクセスポイント１０３との間の無線インターフェースとしては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６通信システム規格を適用してもよく、前記機器１０１−１，１０１−２，１０１−３はＩＥＥＥ８０２．１６通信システムに定義された端末（ｍｏｂｉｌｅ  ｓｔａｔｉｏｎ）の動作を行ってもよい。以下の説明では、前記機器（ｄｅｖｉｃｅ）を端末と明示する。 
【００３０】
図２は、本発明の実施例による機器間通信システムの機器間通信サーバーとページング制御器及び基地局で遊休モード端末のページングを処理する動作を示す信号フローチャートである。 
【００３１】
前記図２を参照すると、機器間通信サーバー２５０は遊休モードにある端末（Ｍ２Ｍ  ＳＳ（Ｓｅｒｖｉｃｅ  Ｓｔａｔｉｏｎ）１，２，Ｎ）２２０，２２２，２２４に伝送するデータが発生すると、前記遊休モードの端末２２０、２２２，２２４を管理するシステム制御局に前記データを伝達する（ブロック２０１）。ここで、前記システム制御局はページング制御器２４０と称する。
【００３２】
前記図２では前記機器間通信サーバー２５０と前記ページング制御器２４０との間に直接メッセージを交換することを仮定したが、前記機器間通信サーバー２５０と前記ページング制御器２４０との間に更に他のシステムエンティティが存在して前記２つのエンティティ間の通信を中継するシナリオも考慮し得る。
【００３３】
前記ブロック２０１で伝送されるデータは機器のグループ通信に必要なグループデータに相当する。そして、前記グループデータは前記データを受信するグループの識別子情報と、前記グループデータのみを受信するのかに対する指示子（ＤＬ  ｄａｔａ  ｏｎｌｙ  ｉｎｄｉｃａｔｏｒ）と、前記グループデータを受信し、アップリンクデータも送信すべきであるのかに対する指示子（ｎｅｔｗｏｒｋ  ｒｅｅｎｔｒｙ  ｉｎｄｉｃａｔｏｒ）、アップリンクデータ送信に対する指示子などを含む。 
【００３４】
ブロック２０１で伝送されるデータを受信したページング制御器２４０は、自らが管理する遊休モード端末のうち前記データを受信するグループに属する端末の情報を収集する（ブロック２０３）。 
【００３５】
前記ページング制御器２４０は、自らが管理する基地局２３０に前記収集した遊休モード端末にページングメッセージを伝送するように指示するページング要請メッセージを伝送する（ブロック２０５）。 
【００３６】
前記ページング要請メッセージは、データを受信するグループ及び遊休モード端末識別子と、前記遊休モード端末がグループデータのみを受信するのかに対する指示子（ＤＬ  ｄａｔａ  ｏｎｌｙ  ｉｎｄｉｃａｔｏｒ）と、前記遊休モード端末がグループデータを受信し、アップリンクデータも送信すべきであるのかに対する指示子（ｎｅｔｗｏｒｋ  ｒｅｅｎｔｒｙ  ｉｎｄｉｃａｔｏｒ）、アップリンクデータ送信に対する指示子などを含む。 
【００３７】
前記基地局２３０は前記ページング要請メッセージを受信すると、前記グループデータのみを受信するのかに対する指示子（ＤＬ  ｄａｔａ  ｏｎｌｙ  ｉｎｄｉｃａｔｏｒ）、前記グループデータ及びアップリンクデータも送信すべきであるのかに対する指示子（ｎｅｔｗｏｒｋ  ｒｅｅｎｔｒｙ  ｉｎｄｉｃａｔｏｒ）、アップリンクデータ送信に対する指示子と、前記グループ識別子と、前記データを受信又は送信すべき端末識別子を含むページングメッセージを構成し、構成したページングメッセージを伝送する（ブロック２０９，２１１，２１３）。 
【００３８】
前記ブロック２０９〜２１３で伝送されるページングメッセージはブロードキャスト方式で伝送され、前記基地局２３０をモニタリングしている全ての遊休モード端末が受信し得る。
【００３９】
前記ブロック２０９〜２１３で伝送するページングメッセージは下記＜表１＞の構造を有する。 
【００４０】
【表１】
0005582667.tif 000002
【００４１】
前記＜表１＞のページングメッセージは、前記基地局が属したページンググループの識別子情報と、前記ページンググループに属した遊休モード端末のうちグループデータを受信するか、グループデータを受信し、アップリンクデータを送信すべき端末、グループの識別子と、前記端末がグループデータのみを受信すべきであるのかに対する指示子（ＤＬ  ｄａｔａ  ｏｎｌｙ  ｉｎｄｉｃａｔｏｒ）又は前記端末がグループデータを受信し、アップリンクデータも送信すべきであるのかに対する指示子（ｎｅｔｗｏｒｋ  ｒｅｅｎｔｒｙ  ｉｎｄｉｃａｔｏｒ）と、を含む。 
【００４２】
もし、前記基地局２３０が一つ以上のページンググループに属する場合、各ページンググループに対して前記端末及び端末の動作コード（ａｃｔｉｏｎ  ｃｏｄｅ）がそれぞれ含まれてもよい。
【００４３】
又は、前記ページングメッセージは下記＜表２＞の構造を有してもよい。
【００４４】
【表２】
0005582667.tif 000003
【００４５】
前記＜表２＞のページングメッセージは、前記基地局２３０が属したページンググループの識別子情報を含む。また、前記基地局２３０が１つ以上のページンググループに属する場合、前記各ページンググループに対して前記端末がグループデータのみを受信すべきであるのかに対する指示子（ＤＬ  ｄａｔａ  ｏｎｌｙ  ｉｎｄｉｃａｔｏｒ）と、前記端末がグループデータのみを受信すべきであるのかに対する指示子が設定された場合、前記グループデータを受信すべき端末が属したグループ識別子と、前記端末がグループデータを受信し、アップリンクデータを送信すべきであるのかに対する指示子（Ｎｅｔｗｏｒｋ  ｒｅｅｎｔｒｙ  ｉｎｄｉｃａｔｏｒ）と、前記端末がグループデータを受信し、アップリンクデータを送信すべきであるのかに対する指示子が設定された場合、前記グループデータを受信し、アップリンクデータを送信すべき端末の識別子を含む。
【００４６】
一方、前記遊休モードにある端末２２０，２２２，２２４は予め約束されているページング聴取区間に遷移し、前記ページング聴取区間で前記基地局２３０から前記＜表１＞又は前記＜表２＞のページングメッセージを受信する（ブロック２０７）。
【００４７】
上述したグループ識別子はマルチキャストグループ識別子と称されてもよく、上述したグループはマルチキャストグループと称されてもよく、前記ページンググループはマルチキャストグループと称されてもよい。そして、前記＜表１＞、＜表２＞のページングメッセージは、追加的に端末に向かうデータ（マルチキャストグループデータ）が伝送される時間、即ち、マルチキャスト伝送開始時間を含んでもよい。前記伝送開始時間はフレーム番号の特定ビットで表現されてもよく、前記伝送開始時間は次のページング聴取区間の開始時間よりは早い。また、基地局は前記マルチキャストデータ伝送が終わったことを示唆するメッセージを端末に伝送し、前記マルチキャストデータ伝送が終わったことを知らせてもよい。
【００４８】
更に、前記端末がグループデータを受信せずにアップリンクデータを送信する場合を考慮することができる。この場合、基地局はアップリンクデータを送信すべきことを指示するレポートコードを＜表１＞及び＜表２＞に含ませて伝送してもよい。
【００４９】
この場合、基地局はアップリンクデータを送信する端末にアップリンク資源を割り当ててもよい。もし、伝送されたアップリンクバーストの同じアップリンクフレームの上で同じ端末識別子を使用する更に他の端末が存在する場合、前記基地局は前記アップリンクバーストのＡＣＩＤと互いに異なる他のＡＣＩＤを使用して該当端末に資源を割り当ててもよい。
【００５０】
図３は、本発明の実施例による機器間通信システムにおける遊休モード端末と基地局がページングメッセージ及びダウンリンクデータを処理する動作を示すフローチャートである。
【００５１】
前記図３を参照すると、端末３２０，３２２，３２４はページング聴取区間に進入して基地局３３０が伝送するページングメッセージを受信する（ブロック３０１）。 
【００５２】
前記ページングメッセージは前記＜表１＞又は＜表２＞の構造を有し、前記図３の例では端末３２２，３２４がグループデータのみを受信すべきであるのかに対する指示子（ＤＬ  ｄａｔａ  ｏｎｌｙ  ｉｎｄｉｃａｔｏｒ）及び前記グループ識別子の情報を含むページングを受信する場合を示している。
【００５３】
もし、端末３２０の識別子、前記端末が属したグループ識別子がブロック３０３で受信したページングメッセージに含まれていない場合、前記端末３２０は受信するデータがないことを確認し、ページング非聴取区間に遷移する（ブロック３０５）。 
【００５４】
もし、前記端末３２２，３２４が属したグループ識別子が前記ブロック３０３で受信したページングメッセージに含まれている場合、前記端末３２２，３２４はそれぞれブロック３０７とブロック３０９で前記グループデータを受信する。 
【００５５】
ここで、前記端末３２２又は端末３２４が受信するグループデータに対するダウンリン資源は前記端末３２２，３２４が属したグループ識別子マスクにエンコードされ、前記グループデータをエンコードする前記グループ識別子マスクは予め定義されている。前記ダウンリンク資源をエンコードするグループ識別子マスクは以下のように構成される。
【００５６】
グループデータの資源に対するエンコード識別子はマスクプレフィックス（Ｍａｓｋｉｎｇ  ｐｒｅｆｉｘ）１−ｂｉｔ、グループデータの資源であることを知らせる指示子３−ｂｉｔ、グループデータの資源に対するグループ識別子ｎ−ｂｉｔ、グループデータであることを知らせる識別子（１２−ｎ）−ｂｉｔで表記され、前記グループデータであることを知らせる識別子は（１２−ｎ）−ｂｉｔだけの０に設定する。前記ｎ値はシステムで存在するグループの個数に応じて決定される。 
【００５７】
前記グループ識別子ｎ−ｂｉｔは、前記端末が機器間通信サービスのグループサービスに加入する際に前記グループに対する情報の一つとして前記端末に提供される。 
【００５８】
もし、マスクプレフィックス（Ｍａｓｋｉｎｇ  ｐｒｅｆｉｘ）が０ｂ０、グループデータの資源であることを知らせる指示子が０ｂ０１０、グループデータの資源に対する識別子が０ｂ１１０であれば、前記グループ識別子マスクは００１０１１００００００００００で示されてもよい。ここで、グループデータであることを示す識別子は０ｂ００００００００００になる。
【００５９】
次に、前記端末３２２，３２４はページング非聴取区間に遷移する（ブロック３１１，３１３）。 
【００６０】
図４は、本発明の実施例による機器間通信システムにおける遊休モード端末と基地局がページングメッセージ及びダウンリンク／アップリンクデータを処理する動作を示す信号フローチャートである。 
【００６１】
前記図４を参照すると、端末４３０，４３２，４３４はページング聴取区間に遷移して基地局４４０が伝送するページングメッセージを受信する（ブロック４０１）。
【００６２】
前記ページングメッセージは前記＜表１＞又は＜表２＞の構造を有する。前記図４の例において、前記基地局４４０が伝送する前記ページングメッセージは、前記端末４３０，４３２，４３４がグループデータを受信し、アップリンクデータを送信すべきであるのかに対する指示子（ｎｅｔｗｏｒｋ  ｒｅｅｎｔｒｙ  ｉｎｄｉｃａｔｏｒ）と前記グループデータを受信し、アップリンクデータを送信すべき端末の識別子（ＳＳＩＤ）を含む。
【００６３】
前記端末が前記ページングメッセージをデコードする際、前記端末４３０の識別子及び前記端末４３０が属したグループ識別子が前記ページングメッセージに含まれていない場合、前記端末４３０はページング非聴取区間に遷移する（ブロック４０５）。
【００６４】
また、前記端末４３２，４３４は前記ページングメッセージをデコードし、デコードの結果前記ページングメッセージが前記端末４３２，４３４が前記グループデータを受信及びアップリンクデータを送信すべきことに対する指示子を含む場合、前記端末４３２，４２４はブロック４０７とブロック４０９でそれぞれ前記端末４３２，４３４が属したグループのデータを受信する。 
【００６５】
前記ブロック４０７とブロック４０９でグループのデータを前記端末４３２，４３４がそれぞれ受信する際、前記グループデータに対するダウンリンク資源は前記図３で説明したエンコード規則によって前記グループ識別子マスクにエンコードされている。 
【００６６】
次に、前記端末４３２，４３４はアップリンクデータを伝送するために前記基地局４４０とコード基盤のレインジング手順（code-based ranging procedure）を行う（ブロック４１１，４１３）。 
【００６７】
前記ブロック４１１〜４１３でコード基盤のレインジング手順に成功した前記端末４３２，４３４は、前記基地局４４０から割り当てられたアップリンク資源を介してアップリンクデータを伝送する（ブロック４１５，４１７）。 
【００６８】
ここで、前記ブロック４１５及びブロック４１７における前記端末４３２，４３４がアップリンクデータを伝送するためのアップリンク資源は、前記端末４３２，４３４を区分し得るように以下のようなエンコード規則によってエンコードされる。 
【００６９】
アップリンク資源に対するエンコード情報は、グループデータの資源に対するマスクプレフィックス（Ｍａｓｋｉｎｇ  ｐｒｅｆｉｘ）１−ｂｉｔ、グループデータの資源であることを知らせる指示子３−ｂｉｔ、グループデータの資源に対するグループ識別子ｎ−ｂｉｔ、及び前記グループ内の端末の識別子（１２−ｎ）−ｂｉｔを含む。
【００７０】
例えば、マスクプレフィックスが０ｂ０、前記グループデータの資源であることを知らせる指示子が０ｂ０１０、前記グループ識別子が０ｂ０１１、前記グループ内の端末識別子が００００１００００であると仮定すると、前記アップリンク資源に対するマスクは００１００１１００００１００００と表現される。 
【００７１】
ここで、前記ｎ値はシステムに存在するグループの個数に応じて決定される。また、前記端末が伝送するアップリンクデータのヘッダーに含まれるＦＩＤ（サービスフロー識別子）は、前記端末が加入したグループサービスを識別するために予め定義されたフロー識別子に相当する。
【００７２】
次に、前記端末４３２，４３４はページング非聴取区間に遷移する（ブロック４１９，４２１）。
【００７３】
図５は、本発明の実施例による機器間通信システムにおける遊休モード端末の動作過程を示すフローチャートである。 
【００７４】
前記図５を参照すると、端末はページング聴取区間に進入する（ブロック５０１）。前記端末は前記ページング聴取区間でページングメッセージを受信し、前記端末に対してグループデータのみを受信すべきであるのかに対する指示子（ＤＬ  ｄａｔａ  ｏｎｌｙ  ｉｎｄｉｃａｔｏｒ）が設定されたのかを検査する（ブロック５０３）。 
【００７５】
前記グループデータのみを受信すべきであるのかに対する指示子（ＤＬ  ｄａｔａ  ｏｎｌｙ  ｉｎｄｉｃａｔｏｒ）が含まれていると、前記端末は自らが属したグループの識別子マスクにエンコードされたダウンリンク資源を介して伝送されるデータを受信する（ブロック５０５）。 
【００７６】
次に、前記端末は遊休モードのページング非聴取区間に進入する（ブロック５０７）。 
【００７７】
もし、前記グループデータのみを受信すべきであるのかに対する指示子（ＤＬ  ｄａｔａ  ｏｎｌｙ  ｉｎｄｉｃａｔｏｒ）が含まれておらず（ブロック５０３）、前記受信したページングメッセージで前記端末に対してグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると（ブロック５０９）、前記端末は前記端末が属したグループの識別子マスクにエンコードされたダウンリンク資源を介して伝送されるデータを受信する（ブロック５１１）。
【００７８】
そして、前記端末は遊休モードで前記端末が使用するように決められている識別子を利用して前記端末に割り当てられたアップリンク資源をデコードし、前記アップリンク資源を介してデータを伝送する（ブロック５１３）。 
【００７９】
次に、遊休モードのページング非聴取区間に遷移する（ブロック５０７）。 
【００８０】
もし、前記ページングメッセージに前記端末に対する情報が含まれていなければ（ブロック５０９）、前記端末は遊休モードのページング非聴取区間に進入する（ブロック５０７）。 
【００８１】
次に、前記端末は本発明によるアルゴリズムを終了する。
【００８２】
図６は、本発明の実施例による機器間通信システムにおける遊休モード端末のデータを処理する基地局の動作過程を示すフローチャートである。
【００８３】
前記図６を参照すると、基地局はページング制御器からページング要請メッセージを受信する（ブロック６０１）。 
【００８４】
前記ページング要請メッセージは、端末識別子、グループデータと、前記端末がグループデータのみを受信すべきであるのかに対する指示子（ＤＬ  ｄａｔａ  ｏｎｌｙ  ｉｎｄｉｃａｔｏｒ）と、前記端末がグループデータを受信し、アップリンクデータも送信すべきであるのかに対する指示子（ｎｅｔｗｏｒｋ  ｒｅｅｎｔｒｙ  ｉｎｄｉｃａｔｏｒ）と、ページンググループ識別子などの情報を含む。
【００８５】
前記ページング要請メッセージに前記端末がグループデータのみを受信すべきであるのかに対する指示子（ＤＬ  ｄａｔａ  ｏｎｌｙ  ｉｎｄｉｃａｔｏｒ）が含まれていると（ブロック６０３）、前記基地局は前記グループの識別子、前記グループデータのみを受信すべきであるのかに対する指示子（ＤＬ  ｄａｔａ  ｏｎｌｙ  ｉｎｄｉｃａｔｏｒ）を含むページングメッセージを構成する（ブロック６０５）。 
【００８６】
もし、前記ページング要請メッセージに端末がグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると（ブロック６０７）、前記基地局は前記グループデータを受信し、アップリンクデータを送信すべきであるのかに対する指示子（Ｎｅｔｗｏｒｋ  ｒｅｅｎｔｒｙ  ｉｎｄｉｃａｔｏｒ）を含むページングメッセージを構成する（ブロック６０９）。 
【００８７】
次に、前記基地局はページング聴取区間に相当する時点で前記ページングメッセージを伝送する（ブロック６１１）。 
【００８８】
前記ページングメッセージにグループデータのみを受信すべきであるのかに対する指示子（ＤＬ  ｄａｔａ  ｏｎｌｙ  ｉｎｄｉｃａｔｏｒ）が含まれていると（ブロック６１３）、前記基地局は該当グループの識別子マスクにエンコードしたダウンリンク資源を介して前記グループに属した端末にデータを伝送する（ブロック６１５）。 
【００８９】
前記ページングメッセージにグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると（ブロック６１７）、前記基地局は該当グループの識別子マスクにエンコードしたダウンリンク資源を介して前記グループに属した端末にデータを伝送する（ブロック６１９）。 
【００９０】
また、前記基地局は該当端末でアップリンクデータを伝送するのに必要な資源を割り当て、前記資源は前記端末が遊休モードで使用するように決められている識別子マスクを利用してエンコードされる。
【００９１】
次に、前記基地局は前記アップリンク資源を介して前記端末からデータを受信する（ブロック６２１）。前記ブロック６２１で前記基地局が前記端末にアップリンク資源を割り当てる時点は、前記ブロック６１９でダウンリンクデータを伝送する時点と同じフレーム又は次のフレームに相当する。 
【００９２】
次に、前記基地局は本発明によるアルゴリズムを終了する。
【００９３】
図７は、本発明の実施例による機器間通信システムにおける機器間通信サーバーの動作過程を示すフローチャートである。
【００９４】
前記図７を参照すると、機器間通信サーバーは遊休モード端末に伝送するデータが発生する場合（ブロック７１０）、ページング制御器に発生したデータを伝送する（ブロック７２０）。
【００９５】
次に、前記機器間通信サーバーは本発明によるアルゴリズムを終了する。
【００９６】
図８は、本発明の実施例による機器間通信システムにおける機器間通信ページング制御器の動作過程を示すフローチャートである。
【００９７】
前記図８を参照すると、ページング制御器は機器間通信サーバーから遊休モード端末に伝送するデータが受信する場合（ブロック８１０）、管理する端末のうち遊休モードでデータを受信するグループに属する端末を選択する（ブロック８２０）。
【００９８】
次に、前記ページング制御器は管理する基地局に選択した端末にページングメッセージ伝送を要請するページング要請メッセージを伝送する（ブロック８３０）。
【００９９】
次に、前記ページング制御器は本発明によるアルゴリズムを終了する。
【０１００】
図９は、本発明の実施例による機器間通信システムにおける端末のブロック構成を示す図である。
【０１０１】
前記図９を参照すると、前記端末はモデム９１０、制御部９２０、貯蔵部９３０、遊休モード管理部９４０を含んで構成される。本発明において、前記モデム９１０はＲＦ（Ｒａｄｉｏ  Ｆｒｅｑｕｅｎｃｙ）処理部を含む。
【０１０２】
前記ＲＦ処理部は信号の帯域変換、増幅など、無線チャネルを介して信号を送受信するための機能を行う。即ち、前記ＲＦ処理部は、前記モデム９１０から提供される基底帯域信号をＲＦ帯域信号にアップ変換した後アンテナを介して送信し、前記アンテナを介して受信されるＲＦ帯域信号を基底帯域信号にダウン変換する。 
【０１０３】
前記モデム９１０は、システムの物理階層規格によって基底帯域信号及びビット列間の変換機能を行う。例えば、データを送信する際、前記モデム９１０は送信ビット列を符号化及び変調することで複素シンボルを生成し、前記複素シンボルを副搬送波にマッピングした後、ＩＦＦＴ演算及びＣＰ挿入を介してＯＦＤＭシンボルを構成する。また、データを受信する際、前記モデム９１０は前記ＲＦ処理部から提供される基底帯域信号をＯＦＤＭシンボル単位に分割し、ＦＦＴ演算を介して副搬送波にマッピングされた信号を復元した後、復調及び復号化を介して受信ビット列を復元する。
【０１０４】
前記貯蔵部９３０は前記端末の動作のための基本プログラム、アプリケーションプログラム、ユーザコンテンツなどのデータを貯蔵する。そして、前記貯蔵部９３０は前記制御部９２０の要請に応じて貯蔵されたデータを提供する。 
【０１０５】
前記制御機９２０は、前記端末の全般的な動作を制御する。例えば、前記制御部９２０はダウンリンクデータを構成して前記モデム９１０に提供し、前記モデム９１０から提供されるアップリンクデータを解釈する。そして、前記制御部９２０は遊休モード管理部９４０を制御し、前記遊休モード管理部９４０の役割を行ってもよい。即ち、前記制御部９２０は前記モデム９１０を制御してデータを送受信してもよい。
【０１０６】
前記遊休モード管理部９４０はページング聴取区間に進入し、前記ページング聴取区間でページングメッセージを受信し、前記端末に対してグループデータのみを受信すべきであるのかに対する指示子（ＤＬ  ｄａｔａ  ｏｎｌｙ  ｉｎｄｉｃａｔｏｒ）が設定されたのかを検査する。 
【０１０７】
前記グループデータのみを受信すべきであるのかに対する指示子（ＤＬ  ｄａｔａ  ｏｎｌｙ  ｉｎｄｉｃａｔｏｒ）が含まれていると、前記遊休モード管理部９４０は自らが属したグループの識別子マスクにエンコードされたダウンリンク資源を介して伝送されるデータを受信する。 
【０１０８】
次に、前記遊休モード管理部９４０は遊休モードのページング非聴取区間に進入する。 
【０１０９】
もし、前記グループデータのみを受信すべきであるのかに対する指示子（ＤＬ  ｄａｔａ  ｏｎｌｙ  ｉｎｄｉｃａｔｏｒ）が含まれておらず、前記受信したページングメッセージで前記端末に対してグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると、前記遊休モード管理部９４０は前記端末が属したグループの識別子マスクにエンコードされたダウンリンク資源を介して伝送されるデータを受信する。
【０１１０】
前記遊休モード管理部９４０は遊休モードで前記端末が使用するように決められている識別子を利用して前記端末に割り当てられたアップリンク資源をデコードし、前記アップリンク資源を介してデータを伝送する。次に、前記遊休モード管理部９４０は遊休モードのページング非聴取区間に遷移する。 
【０１１１】
もし、前記ページングメッセージに前記端末に対する情報が含まれていなければ、前記遊休モード管理部９４０は遊休モードのページング非聴取区間に遷移する。 
【０１１２】
上述したブロック構成で説明したように、前記制御部９２０は前記遊休モード管理部９４０の機能を行うことができる。 
【０１１３】
本発明でそれを別途に構成して図示したのは各機能を区別して説明するためである。よって、実際に製品を具現する場合、前記遊休モード管理部９４０の機能全てを前記制御部９２０が処理するように構成してもよく、前記機能のうち一部のみを前記制御部９２０が処理するように構成してもよい。 
【０１１４】
図１０は、本発明の実施例による機器間通信システムにおける機器間通信サーバー、ページング制御器及び基地局のブロック構成を示す図である。
【０１１５】
前記機器間通信サーバー及びページング制御器は有線モデム１０１５、制御部１０２０、貯蔵部１０３０及び端末遊休モード管理部１０４０を含んで構成される。 
【０１１６】
そして、前記基地局は無線モデム１０１０、有線モデム１０１５、制御部１０２０、貯蔵部１０３０及び端末遊休モード管理部１０４０を含んで構成される。ここで、前記無線モデム１０１０はＲＦ処理部を含む。
【０１１７】
前記ＲＦ処理部は信号の帯域変換、増幅など、無線チャネルを介して信号を送受信するための機能を行う。即ち、前記ＲＦ処理部は、前記無線モデム１０１０から提供される基底帯域信号をＲＦ帯域信号にアップ変換した後アンテナを介して送信し、前記アンテナを介して受信されるＲＦ帯域信号を基底帯域信号にダウン変換する。 
【０１１８】
前記無線モデム１０１０は、システムの物理階層規格によって基底帯域信号及びビット列間の変換機能を行う。例えば、データを送信する際、前記無線モデム１０１０は送信ビット列を符号化及び変調することで複素シンボルを生成し、前記複素シンボルを副搬送波にマッピングした後、ＩＦＦＴ（Ｉｎｖｅｒｓｅ  Ｆａｓｔ  Ｆｏｕｒｉｅｒ  Ｔｒａｎｓｆｏｒｍ）演算及びＣＰ（Ｃｙｃｌｉｃ  Ｐｒｅｆｉｘ）挿入を介してＯＦＤＭシンボルを構成する。また、データを受信する際、前記無線モデム１０１０は前記ＲＦ処理部から提供される基底帯域信号をＯＦＤＭシンボル単位に分割し、ＦＦＴ（Ｆａｓｔ  Ｆｏｕｒｉｅｒ  Ｔｒａｎｓｆｏｒｍ）演算を介して副搬送波にマッピングされた信号を復元した後、復調及び復号化を介して受信ビット列を復元する。
【０１１９】
前記有線モデム１０１５は、他のノードと通信を行うためのインターフェース提供する。 
【０１２０】
前記貯蔵部１０３０は、前記機器間通信サーバー、ページング制御器又は基地局の動作のための基本プログラム、アプリケーションプログラム、ユーザコンテンツなどのデータを貯蔵する。そして、前記貯蔵部１０３０は前記制御部１０２０の要請に応じて貯蔵されたデータを提供する。 
【０１２１】
前記制御部１０２０は前記機器間通信サーバー、ページング制御器及び基地局の全般的な動作を制御する。そして、前記制御部１０２０は前記有線モデム１０１５及び無線モデム１０１０を制御してデータの送受信してもよい。
【０１２２】
まず、基地局について説明すると、前記基地局の制御部１０２０はダウンリンクデータを構成して前記モデム１０１０に提供し、前記モデム１０１０から提供されるアップリンクデータを解釈する。そして、前記制御部１０２０は前記端末遊休モード管理部１０４０を制御し、前記端末遊休モード管理部１０４０の役割をしてもよい。 
【０１２３】
前記端末遊休モード管理部１０４０はページング制御器からページング要請メッセージを受信し、前記ページング要請メッセージに端末がグループデータのみを受信すべきであるのかに対する指示子（ＤＬ  ｄａｔａ  ｏｎｌｙ  ｉｎｄｉｃａｔｏｒ）が含まれていると、前記グループの識別子及び前記グループデータのみを受信すべきであるのかに対する指示子（ＤＬ  ｄａｔａ  ｏｎｌｙ  ｉｎｄｉｃａｔｏｒ）を含むページングメッセージを構成する。 
【０１２４】
もし、前記ページング要請メッセージに端末がグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると、前記端末遊休モード管理部１０４０は前記端末識別子と前記グループデータを受信し、アップリンクデータを送信すべきであるのかに対する指示子（Ｎｅｔｗｏｒｋ  ｒｅｅｎｔｒｙ  ｉｎｄｉｃａｔｏｒ）を含むページングメッセージを構成する。次に、前記端末遊休モード管理部１０４０はページング聴取区間に相当する時点で前記ページングメッセージを伝送する。 
【０１２５】
前記ページングメッセージにグループデータのみを受信すべきであるのかに対する指示子（ＤＬ  ｄａｔａ  ｏｎｌｙ  ｉｎｄｉｃａｔｏｒ）が含まれていると、前記端末遊休モード管理部１０４０は該当グループの識別子マスクにエンコードしたダウンリンク資源を介して前記グループに属した端末にデータを伝送する。 
【０１２６】
前記ページングメッセージにグループデータを受信し、アップリンクデータを送信すべきであるのかに対する指示子（Ｎｅｔｗｏｒｋ  ｒｅｅｎｔｒｙ  ｉｎｄｉｃａｔｏｒ）が含まれていると、前記端末遊休モード管理部１０４０は該当グループの識別子マスクにエンコードしたダウンリンク資源を介して前記グループに属した端末にデータを伝送する。 
【０１２７】
また、前記端末遊休モード管理部１０４０は該当端末でアップリンクデータを伝送するのに必要な資源を割り当て、前記資源は前記端末が遊休モードで使用するように決められている識別子マスクを利用してエンコードする。 
【０１２８】
次に、前記端末遊休モード管理部１０４０は前記アップリンク資源を介して前記端末からデータを受信する。ここで、前記端末にアップリンク資源を割り当てる時点は、ダウンリンクデータを伝送する時点と同じフレーム又は次のフレームに相当する。 
【０１２９】
次に、機器間通信サーバーについて説明すると、前記機器間通信サーバーの端末遊休モード管理部１０４０は、遊休モード端末に伝送するデータが発生する場合、ページング制御機に発生したデータを伝送する。
【０１３０】
次に、ページング制御器について説明すると、前記ページング制御機の端末遊休モード管理部１０４０は機器間通信サーバーから遊休モード端末に伝送するデータが受信する場合、管理する端末のうち遊休モードでデータを受信するグループに属する端末を選択する。次に、前記端末遊休モード管理部１０４０は管理する基地局に選択した端末にページングメッセージ伝送を要請するページング要請メッセージを伝送する。
【０１３１】
上述したブロック構成で説明したように、前記制御部１０２０は前記端末遊休モード管理部１０４０の機能を行うことができる。本発明でそれを別途に構成して図示したのは各機能を区別して説明するためである。よって、実際に製品を具現する場合、前記端末遊休モード管理部１０４０の機能全てを前記制御部１０２０が処理するように構成してもよく、前記機能のうち一部のみを前記制御部１０２０が処理するように構成してもよい。 
【０１３２】
機器間通信システムにおいて、同じサービスグループに加入した機器が遊休モードにある場合、前記加入機器がシステムにアクセスする手順を行わなくてもデータを送受信する方式を提供することで、前記加入機器がシステムにアクセスする過程で発生し得るアクセス衝突を防止し、アクセス遅延を減少させる利点がある。
【０１３３】
一方、本発明の詳細な説明では具体的な実施例に関して説明したが、本発明の範囲を逸脱しない範囲内で多様な変形が可能であることはもちろんである。従って、本発明の範囲は説明された実施例に限って決められてはならず、後述する特許請求の範囲だけでなく、この特許請求の範囲と均等なものによって決められるべきである。
【符号の説明】
【０１３４】
１０１-１〜３    Ｍ２Ｍ機器
１０２    Ｍ２Ｍ  ＡＳＮ
１０３    アクセスポイント
１０４    Ｍ２ＭＣＳＮ
１０５    Ｍ２Ｍサーバー
２２０，２２２，２２４，３２０，３２２，３２４，４３０，４３２，４３４    Ｍ２Ｍ  端末１，２，Ｎ
２３０，３３０，４４０    Ｍ２Ｍ基地局
２４０    ページング制御器
２５０    Ｍ２Ｍサーバー
９１０    モデム
９２０    制御部
９３０    貯蔵部
９４０    遊休モード管理部
１０１０    無線モデム
１０２０    制御部
１０３０    貯蔵部
１０１５    有線モデム
１０４０    端末遊休モード管理部
【図１】
0005582667.tif 000004
【図２】
0005582667.tif 000005
【図３】
0005582667.tif 000006
【図４】
0005582667.tif 000007
【図５】
0005582667.tif 000008
【図６】
0005582667.tif 000009
【図７】
0005582667.tif 000010
【図８】
0005582667.tif 000011
【図９】
0005582667.tif 000012
【図１０】
0005582667.tif 000013